(57)【要約】【課題】低コストで、且つ短時間で効率よく設置することができる。【解決手段】地盤Ｇ上の設置部に設けられた４本の支柱２と、それら支柱２上に支持され、張設方向Ｘに沿って長く延在するソーラーパネルユニット１０と、からなり、ソーラーパネルユニット１０は、支柱２に所定張力をもって支持されるとともに、互いに間隔をあけて配列された複数本のワイヤ１１と、これらのワイヤ１１に係止されたソーラーセル１２と、これらワイヤ１１の両端のそれぞれを連結する長尺の端部保持部材１３（１３Ａ、１３Ｂ）とを備え、ソーラーセル１２の受光面１２ａが複数本のワイヤ１１を含むパネル設置面Ｒに沿って平行に配置されたソーラーパネル装置１を提供する。【選択図】図１
2013243201.tif 000002
【特許請求の範囲】
【請求項１】
設置部に設けられた支持架台上に取り付けられるソーラーパネルユニットであって、
前記支持架台に所定張力をもって支持されるとともに、互いに間隔をあけて配列された複数本のワイヤと、
複数本の前記ワイヤに係止されたソーラーセルと、
を備え、
前記ソーラーセルは、その受光面が複数本の前記ワイヤを含む平面に沿って平行に配置されていることを特徴とするソーラーパネルユニット。
【請求項２】
複数本の前記ワイヤの両端は、長尺の端部保持部材によって係止され、
該端部保持部材は、前記支持架台に支持可能であることを特徴とする請求項１に記載のソーラーパネルユニット。
【請求項３】
前記ワイヤは、前記端部保持部材によって緊張可能に係止されていることを特徴とする請求項２に記載のソーラーパネルユニット。
【請求項４】
ソーラーパネルを配置するための設置部に設けられた支持架台と、
前記支持架台に所定張力をもって支持されるとともに、互いに間隔をあけて配列された複数本のワイヤと、
複数本の前記ワイヤに係止されたソーラーセルと、
を備え、
前記ソーラーセルは、その受光面が複数本の前記ワイヤを含む平面に沿って平行に配置されていることを特徴とするソーラーパネル装置。
【請求項５】
前記ソーラーセルが配置される前記平面は、水平面に対して所定の傾斜角度で傾斜していることを特徴とする請求項４に記載のソーラーパネル装置。
【請求項６】
複数本の前記ワイヤの両端は、長尺の端部保持部材によって係止され、
該端部保持部材は、傾動可能に前記支持架台に支持されていることを特徴とする請求項４又は５に記載のソーラーパネル装置。
【請求項７】
一方の前記端部保持部材を支持する前記支持架台は、該端部保持部材の長手方向の両端を支持する一対の支柱からなることを特徴とする請求項６に記載のソーラーパネル装置。
【請求項８】
一方の前記端部保持部材を支持する前記支持架台は、該端部保持部材の長手方向の中央を支持する１本の支柱からなることを特徴とする請求項６に記載のソーラーパネル装置。
【請求項９】
前記支柱は、隣接する前記ソーラーセルを備えた複数本のワイヤを支持するための支柱と共有する構成とされることを特徴とする請求項７又は８に記載のソーラーパネル装置。
【請求項１０】
設置部に所定間隔をあけて支持架台を設ける工程と、
前記支持架台同士の間に互いに間隔をあけて配列される複数本のワイヤを張設する工程と、
それら複数本の前記ワイヤにソーラーセルを係止させる工程と、
を有することを特徴とするソーラーパネルの設置方法。  
【発明の詳細な説明】
【技術分野】
【０００１】
本発明は、ソーラーパネルユニット、ソーラーパネル装置、およびソーラーパネルの設置方法に関する。
【背景技術】
【０００２】
従来、太陽熱発電において、太陽熱エネルギーを吸収し、発電、集熱するためのソーラーパネルが知られている。このようなソーラーパネルは、土台上に鋼材などで枠組みされた架台が設けられ、その架台にパネル毎に固定されているのが一般的となっている（例えば、特許文献１参照）。
【先行技術文献】
【特許文献】
【０００３】
【特許文献１】登録実用新案第３０６０８８７号公報
【発明の概要】
【発明が解決しようとする課題】
【０００４】
しかしながら従来のソーラーパネルでは、以下のような問題があった。
すなわち、近年では、例えば１０万ｋｗの発電能力をもつ大規模なメガソーラー発電が計画されるケースがあり、広大な用地を利用し、多数のソーラーパネルが設置されている。
ところで、上述した特許文献１のような従来のソーラーパネルでは、ソーラーパネル毎に架台を設ける必要があり、ソーラーパネルが地盤から高い場合に高所作業が生じるため、足場が必要となる。そのため、上述したメガソーラー発電の場合には土台となる基礎や架台の施工に多大な時間を要し、ソーラーパネルを設置して発電を開始するまでの期間が長期化するうえ、これら架台等の部材コストがかかるという問題があった。
【０００５】
本発明は、上述する問題点に鑑みてなされたもので、低コストで、且つ短時間で効率よく設置することができるソーラーパネルユニット、ソーラーパネル装置、およびソーラーパネルの設置方法を提供することを目的とする。
【課題を解決するための手段】
【０００６】
上記目的を達成するため、本発明に係るソーラーパネルユニットでは、設置部に設けられた支持架台上に取り付けられるソーラーパネルユニットであって、支持架台に所定張力をもって支持されるとともに、互いに間隔をあけて配列された複数本のワイヤと、複数本のワイヤに係止されたソーラーセルと、を備え、ソーラーセルは、その受光面が複数本のワイヤを含む平面に沿って平行に配置されていることを特徴としている。
【０００７】
また、本発明に係るソーラーパネル装置では、ソーラーパネルを配置するための設置部に設けられた支持架台と、支持架台に所定張力をもって支持されるとともに、互いに間隔をあけて配列された複数本のワイヤと、複数本のワイヤに係止されたソーラーセルと、を備え、ソーラーセルは、その受光面が複数本のワイヤを含む平面に沿って平行に配置されていることを特徴としている。
【０００８】
また、本発明に係るソーラーパネルの設置方法では、設置部に所定間隔をあけて支持架台を設ける工程と、支持架台同士の間に互いに間隔をあけて配列される複数本のワイヤを張設する工程と、それら複数本のワイヤにソーラーセルを係止させる工程と、を有することを特徴としている。
【０００９】
本発明では、支持架台に支持させた複数本のワイヤにソーラーセルを係止させる構成であるので、複数のソーラーセルを配置できる距離を有するワイヤを張設することが可能となる。そのため、支持架台はワイヤを係止させる構成であればよく、支持架台を簡単な構造とすることが可能となる。そして、支持架台に対して所定張力をもって支持されたワイヤ上にソーラーセルを係止させるため、ワイヤの張設距離を長くとることが可能となり、これによりワイヤの延在方向に複数のソーラーセルからなるソーラーパネルを複数配置することができ、支持架台の設置数量を少なくすることができる。そのため、支持架台自体、および支持架台を取り付けるための施工が簡単になり、施工効率を高めることができるので、基礎の設置にかかる手間や時間を低減することができ、これらの部材コストの低減を図ることができる。
とくにソーラーパネルの高さが設置面から高い位置にある場合には、足場を設ける必要もあり、支持架台の数量を減らすことで、足場の設置にかかる手間や時間を低減することができる。
【００１０】
また、ワイヤに対してソーラーセルを係止させる方法として、予めソーラーセルに設けた係止金具をワイヤの任意の位置に係止させる構成とすることが可能となる。そのため、ソーラーセルの位置決めが容易となり、係止位置の微調整もし易くなり、作業効率を向上させることができる。
【００１１】
また、本発明に係るソーラーパネルユニットでは、複数本のワイヤの両端は、長尺の端部保持部材によって係止され、端部保持部材は、支持架台に支持可能であることが好ましい。
【００１２】
この場合、複数本のワイヤの両端がそれぞれ端部保持部材に係止されてユニット化された構成となるので、一対の端部保持部材をそれぞれ支持架台上に固定することで、複数本のワイヤを支持架台上の所定位置に張設させることができる。この場合、複数本のワイヤをそれぞれ１本ずつ支持架台に支持させる必要がないので、設置がさらに容易になるという利点がある。
【００１３】
また、本発明に係るソーラーパネルユニットでは、ワイヤは、端部保持部材によって緊張可能に係止されていることが好ましい。
【００１４】
本発明では、端部保持部材によって係止されたワイヤの張力を設置後に適宜調整することができる。つまり、ソーラーパネルを設置した後に、ワイヤが緩んで張力が低下した場合であっても、所定の張力に調整しなおすことが容易に行うことができるという利点がある。
【００１５】
また、本発明に係るソーラーパネル装置では、ソーラーセルが配置される平面は、水平面に対して所定の傾斜角度で傾斜していることが好ましい。
【００１６】
このような構成により、ワイヤに係止するソーラーセルの受光面を太陽の位置に合わせた好適な傾斜角度をもって設置することができる。
【００１７】
また、本発明に係るソーラーパネル装置では、複数本のワイヤの両端は、長尺の端部保持部材によって係止され、端部保持部材は、傾動可能に支持架台に支持されていることが好ましい。
【００１８】
この場合、複数本のワイヤを係止する端部保持部材が支持架台に対して傾動させることで、ソーラーセルの受光面を太陽の位置に合わせた好適な傾斜角度に容易に変更することができる。例えば、時間帯に合わせて、前記傾斜角度を変更することが可能なため、熱効率の高い発電を行うことができる。
【００１９】
また、本発明に係るソーラーパネル装置では、一方の端部保持部材を支持する支持架台は、端部保持部材の長手方向の両端を支持する一対の支柱からなる構成とすることも可能である。
【００２０】
この場合には、端部保持部材の長手方向の両端のそれぞれが支柱によって支持されるので、安定した構造を実現することができる。
【００２１】
また、本発明に係るソーラーパネル装置では、一方の端部保持部材を支持する支持架台は、端部保持部材の長手方向の中央を支持する１本の支柱からなる構成であってもよい。
【００２２】
この場合には、支柱と端部保持部材との接合部に回転機構を設けることで、この接合部を中心にして端部保持部材を回転させてソーラーセルの傾斜角度を容易に変更することができる。
【００２３】
また、本発明に係るソーラーパネル装置では、支柱は、隣接するソーラーセルを備えた複数本のワイヤを支持するための支柱と共有する構成とされることが好ましい。
【００２４】
このような構成とすることで、さらに支柱の数量を減らすことができ、施工の効率化を図ることができる。
【発明の効果】
【００２５】
本発明のソーラーパネルユニット、ソーラーパネル装置、およびソーラーパネルの設置方法によれば、張設したワイヤにソーラーセルを係止する構成とすることで、支持架台を簡単な構造で、且つ数量を減らすことが可能となることから、低コストで、且つ短時間で効率よく設置することができる。
【図面の簡単な説明】
【００２６】
【図１】本発明の第１の実施の形態によるソーラーパネルユニット及びソーラーパネル装置の構成を示す斜視図である。
【図２】図１に示すＡ−Ａ線矢視図であって、ソーラーパネル装置の正面図である。
【図３】図１に示すＢ−Ｂ線矢視図であって、ソーラーパネル装置の側面図である。
【図４】端部保持部材の構成を示す図であって、（ａ）は図３に示すＣ−Ｃ線断面図、（ｂ）は図３に示すＤ−Ｄ線矢視図である。
【図５】ソーラーセルの取り付け状態を示す断面図である。
【図６】複数のソーラーパネル装置を配置させた側面図である。
【図７】（ａ）、（ｂ）は、ソーラーパネル装置の設置工程を示す図である。
【図８】（ａ）、（ｂ）は、図７に続くソーラーパネル装置の設置工程を示す図である。
【図９】第２の実施の形態によるソーラーパネル装置の設置状態を示す正面図である。
【図１０】第３の実施の形態によるソーラーパネル装置の構成を示す側面図である。
【図１１】第４の実施の形態によるソーラーパネル装置の構成を示す平面図である。
【図１２】図１１に示すソーラーパネル装置の正面図である。
【図１３】図１１に示すソーラーパネル装置の側面図である。
【発明を実施するための形態】
【００２７】
以下、本発明の実施の形態によるソーラーパネルユニット、ソーラーパネル装置、およびソーラーパネルの設置方法について、図面に基づいて説明する。
【００２８】
（第１の実施の形態）
図１に示すように、本実施の形態のソーラーパネル装置１は、太陽熱エネルギーを吸収して発電する太陽熱発電に用いられている。ソーラーパネル装置１は、地盤Ｇ上の設置部に設けられた４本の支柱２（支持架台）と、それら支柱２上に支持され、一方向（後述する張設方向Ｘ）に沿って長く延在するソーラーパネルユニット１０と、からなる。
ここで、ソーラーパネルユニット１０の延在方向（長手方向）を張設方向Ｘとし、平面視で張設方向に直交する方向を奥行方向Ｙとして、以下説明する。なお、奥行方向Ｙにおいて、図３の紙面左側を「前側」とし、同じく紙面右側を「後側」とする。
【００２９】
支柱２は、ソーラーパネルユニット１０の張設方向Ｘの両側にそれぞれ２本（符号２Ａ、２Ｂ）ずつ設けられ、図２に示すように地盤Ｇ中に埋設された基礎３によって支持されている。基礎３は、杭３１の杭頭に接合されている。ソーラーパネルユニット１０の片側に位置する２本の支柱２Ａ、２Ｂは、奥行方向Ｙで後側のものが前側のものよりも高くなっている。これら２本の支柱２Ａ、２Ｂの上端には、後述する端部保持部材１３の両端が支持されている。基礎３は、２本の支柱２Ａ、２Ｂに共通するものでもよいし、支柱２Ａ、２Ｂ毎に設けるものでもよい。
【００３０】
図１乃至図３に示すように、ソーラーパネルユニット１０は、支柱２に所定張力をもって支持されるとともに、互いに間隔をあけて配列された複数本（ここでは５本）のワイヤ１１と、これらのワイヤ１１に係止されたソーラーセル１２と、これらワイヤ１１の両端のそれぞれを連結する長尺の端部保持部材１３（１３Ａ、１３Ｂ）と、を備えて構成されている。
【００３１】
ワイヤ１１は、複数本（５本）のうち、配列方向（平面視で奥行方向Ｙ）で両外側に位置するもの（符号１１Ａ）が内側のもの（符号１１Ｂ）よりも径寸法が大きいものが配置されている。図４（ｂ）に示すように、各ワイヤ１１の両端には、周面に雄ねじが形成された雄ねじ金具１１１が固定されている。この雄ねじ金具１１１には、後述する端部保持部材１３を挿通させた状態で止めナット１１２が螺合される。
【００３２】
ソーラーセル１２は、張設方向Ｘに沿って４枚がワイヤ１１に係止されており、それぞれの受光面１２ａ（図１）が複数本のワイヤ１１を含む平面（パネル設置面Ｒ）に沿って平行に配置されている。ここで、図１及び図２に示す符号１２Ａは、ソーラーセル１２を張設方向Ｘに５つ、奥行方向に４つを配列させたソーラーパネルである。本ソーラーパネルユニット１０では、張設方向Ｘに沿って４枚のソーラーパネル１２Ａが配置されている。
【００３３】
図５に示すように、ソーラーセル１２には、厚さ方向に貫通する雌ねじ孔１２ｂが設けられており、その雌ねじ孔１２ｂには受光面１２ａ側（図５で上側）から雄ねじ部を有する吊り金具１２１が螺合されている。この吊り金具１２１は、ワイヤ１１に挿通可能な挿通環１２１ａを有している。この挿通環１２１ａ内にワイヤ１１を挿通させた状態で、受光面１２ａを上向きにしたソーラーセル１２がワイヤ１１に係止されることになる。
【００３４】
図４（ａ）、（ｂ）に示すように、端部保持部材１３は、一対のフランジ１３ａとウェブ１３ｂとからなる断面視でコの字状の鋼材であり、ウェブ１３ｂを支柱２の上端にボルト１３１とナット１３２によって固定可能となっている。さらに、端部保持部材１３のウェブ１３ｂには、５本のワイヤ１１に対応する位置に端部保持部材１３の長手方向に沿って間隔をあけて貫通孔１３ｃが形成されている（図１、図３参照）。そして、この貫通孔１３ｃには、ワイヤ１１の雄ねじ金具１１１を挿通させ、その突出した雄ねじ部にナット１１２を螺合させるようになっている。つまり、ナット１１２を締め付けることで、ワイヤ１１が図４（ｂ）の矢印Ｙ１方向に緊張されるようになっている。
【００３５】
端部保持部材１３は、図３に示すように、高さの異なる前後一対の支柱２Ａ、２Ｂに対して、所定の傾斜角度θで傾斜した状態で固定されている。そのため、ソーラーセル１２が配置される前記パネル設置面Ｒは、水平面に対して所定の傾斜角度（前記端部保持部材１３の傾斜角度θとほぼ同等）で傾斜している。
【００３６】
なお、本実施の形態では、端部保持部材１３は支柱２に対して一定の傾斜角度θで固定されているが、支柱２に対して傾動可能に支持されていてもよい。例えば、支柱２の上端が上下方向に変位可能な構成とすることで、奥行方向Ｙの前後に配置される支柱２Ａ、２Ｂの高低差（図３に示すΔＬ）を変えることができ、これにより端部保持部材１３の傾斜角度θを変更することができる。
【００３７】
上述したソーラーパネル装置１は、図６に示すように、奥行方向Ｙに所定間隔をあけて複数配置することができる。
【００３８】
次に、上述した構成からなるソーラーパネル装置１の設置方法について、図面に基づいて説明する。
先ず、図７（ａ）に示すように、設置部に所定間隔をあけて４本の支柱２を設ける。具体的には、支柱２を設置する位置の地盤Ｇに複数の杭３１を打設し、その杭頭にコンクリート造の基礎３を設置し、その基礎３上に支柱２を立設する。このとき高さの異なる一対の支柱２Ａ、２Ｂを１組とし、そのうち２組をソーラーパネルユニット１０が配置可能な所定の離間をあけて設ける。高さの低い支柱２Ａを図７（ａ）で紙面手前側に設けられている。そして、一方の組（ここでは紙面左側の組）の支柱２Ａ、２Ｂの張設方向Ｘで外側の位置には、後述するウインチ４用の基礎４１を設けるとともに、前後一対の支柱２のうち高い支柱２Ｂの上端に滑車４２を取り付けておく。
【００３９】
その後、図７（ｂ）に示すように、張設方向Ｘで両側に設置した支柱２同士の間において、ソーラーパネルユニット１０を地組みする。すなわち、上述した雄ねじ金具１１１（図４（ｂ））を使用して５本のワイヤ１１の両端のそれぞれを端部保持部材１３に係止し、ワイヤ１１を同一方向に延在させた状態で地盤Ｇ上に配置する。そして、それら５本のワイヤ１１に４枚のソーラーパネル１２Ａを図５に示す吊り金具１２１を使用して係止し、ソーラーパネルユニット１０を組み立てる。
【００４０】
次に、図８（ａ）に示すように、組み上がったソーラーパネルユニット１０の一方（紙面右側）の第１端部保持部材１３Ａの奥行方向Ｙで後側の一端１３ｄ（ここでは、高い支柱２Ｂに支持される端部）をクレーン５で吊り上げるとともに、ウインチ用基礎４１上に設置したウインチ４によって他方（紙面左側、ウインチ４側）の第２端部保持部材１３Ｂの奥行方向Ｙで後側の一端１３ｄ（高い支柱２Ｂに支持される端部）を滑車４２を介して吊り上げる。
【００４１】
そして、図８（ｂ）に示すように、クレーン５及びウインチ４のそれぞれによって一対の端部保持部材１３Ａ、１３Ｂが所定高さまで吊り上げられた状態で、先ずクレーン５側の第１端部保持部材１３Ａの両端を一対の支柱２Ａ、２Ｂの上端に固定する（図３など参照）。そして、ウインチ４によって他方（ウインチ４側）の第２端部保持部材１３Ｂを張設方向Ｘに引っ張って、ワイヤ１１を緊張させた状態でその第２端部保持部材１３Ｂの両端を一対の支柱２Ａ、２Ｂの上端に固定し、ソーラーパネルユニット１０が所定位置に設置される。この設置状態において、ソーラーパネルユニット１０の５本のワイヤ１１は一定の張力がかかった状態で保持される。
なお、ソーラーパネルユニット１０の設置が完了した後に、ウインチ４のワイヤ先端を第２端部保持部材１３Ｂから切り離す。
【００４２】
次に、ソーラーパネルユニット、ソーラーパネル装置、およびソーラーパネルの設置方法の作用について、図面に基づいて説明する。
図１に示すように、ソーラーパネル装置１では、支柱２に支持させたソーラーパネルユニット１０の複数本のワイヤ１１にソーラーセル１２を係止させる構成であるので、複数のソーラーセル１２を配置できる距離を有するワイヤ１１を張設することが可能となる。そのため、支柱２はワイヤ１１の張設方向Ｘに沿って延在するソーラーパネルユニット１０の両側に位置する端部保持部材１３Ａ、１３Ｂを係止させる構成であればよく、支柱２を簡単な構造とすることが可能となる。
【００４３】
そして、支柱２に対して所定張力をもって支持されたワイヤ１１上にソーラーセル１２を係止させるため、ワイヤ１１の張設距離を長くとることが可能となり、これによりワイヤ１１の延在方向（張設方向Ｘ）に複数のソーラーセル１２からなるソーラーパネル１２Ａを複数（４枚）配置することができ、支柱２の設置数量を少なくすることができる。そのため、支柱２自体、および支柱２を取り付けるための施工が簡単になり、施工効率を高めることができるので、基礎３の設置にかかる手間や時間を低減することができ、これらの部材コストの低減を図ることができる。例えば、１セットのソーラーパネルユニット１０で本実施の形態のように４枚のソーラーパネル１２Ａを配置する場合には、従来は４枚のソーラーパネル１２Ａ分の支持架台が必要であったが、本実施の形態では１セット分の支持架台（４本の支柱２）ですみ、３セット分の支持架台を省略することができる。
とくにソーラーパネル１２Ａの高さが設置面（地盤Ｇ）から高い位置にある場合には、足場を設ける必要もあり、支柱２の数量を減らすことで、足場の設置にかかる手間や時間を低減することができる。
【００４４】
また、ワイヤ１１に対してソーラーセル１２を係止させる方法として、予めソーラーセル１２に設けた吊り金具１２１をワイヤ１１の任意の位置に係止させる構成とすることが可能となる。そのため、ソーラーセル１２の位置決めが容易となり、係止位置の微調整もし易くなり、作業効率を向上させることができる。
【００４５】
また、ソーラーパネルユニット１０が５本のワイヤ１１の両端がそれぞれ端部保持部材１３Ａ、１３Ｂに係止されてユニット化された構成となるので、一対の端部保持部材１３Ａ、１３Ｂをそれぞれ支柱２上に固定することで、５本のワイヤ１１を支柱２上の所定位置に張設させることができる。この場合、５本のワイヤ１１をそれぞれ１本ずつ支柱２に支持させる必要がないので、設置がさらに容易になるという利点がある。
【００４６】
また、ワイヤ１１が雄ねじ金具１１１を介して端部保持部材１３によって緊張可能に係止されているので、端部保持部材１３によって係止されたワイヤ１１の張力を設置後に適宜調整することができる。つまり、ソーラーパネル１２Ａを設置した後に、ワイヤ１１が緩んで張力が低下した場合であっても、所定の張力に調整しなおすことが容易に行うことができるという利点がある。
【００４７】
また、ソーラーセル１２が配置されるパネル設置面Ｒが水平面に対して所定の傾斜角度θで傾斜した構成とすることで、ワイヤ１１に係止するソーラーセル１２の受光面１２ａを太陽の位置に合わせた好適な傾斜角度θをもって設置することができる。
【００４８】
上述のように本実施の形態によるソーラーパネルユニット、ソーラーパネル装置、およびソーラーパネルの設置方法では、張設したワイヤ１１にソーラーセル１２を係止する構成とすることで、支柱２を簡単な構造で、且つ数量を減らすことが可能となることから、低コストで、且つ短時間で効率よく設置することができる。
【００４９】
次に、本発明のソーラーパネルユニット、ソーラーパネル装置、およびソーラーパネルの設置方法による他の実施の形態について、添付図面に基づいて説明するが、上述の第１の実施の形態と同一又は同様な部材、部分には同一の符号を用いて説明を省略し、第１の実施の形態と異なる構成について説明する。
【００５０】
（第２の実施の形態）
また、図９に示すように、第２の実施の形態のソーラーパネル装置１Ａでは、隣接するソーラーパネルユニット１０Ａ、１０Ｂ同士の間の支柱２（ここでは符号２’）を両者で共有して設置した構成となっている。つまり、中央の支柱２’に対して、両側に設けられるソーラーパネルユニット１０Ａ、１０Ｂのそれぞれの端部保持部材１３、１３が固定されることになる。この場合、複数（図９では２セット）のソーラーパネルユニット１０Ａ、１０Ｂを張設方向Ｘに間隔を空けずに設置することができるので、効率よく配置することができる。そのため、用地の有効利用が可能となり、より多くのソーラーパネルを設置することが可能となる。
本第２の実施の形態では、さらに支柱２および基礎３の数量を減らすことができ、施工の効率化を図ることができる。
【００５１】
（第３の実施の形態）
また、図１０に示す第３の実施の形態のソーラーパネル装置１Ｂでは、ソーラーパネルユニット１０の両側に設けられる支柱２を１本にしたものである。すなわち、端部保持部材１３を支持する支柱２は、端部保持部材１３の長手方向で中央部分１３ｅ（接合部）を張設方向に沿う軸線Ｃ１を中心にして回転可能に支持する図示しない回転機構を備えた構成となっている。これにより、前記中央部分１３ｅを中心にして端部保持部材１３を回転させて、複数のワイヤ１１とともにソーラーセル１２の傾斜角度θを容易に変更することができる。
（第４の実施の形態）
図１１乃至図１３に示すように、第３の実施の形態によるソーラーパネル装置１Cは、支柱２に対してワイヤ１１を直接係止させた構成であり、上述したソーラーパネルユニット１０の端部保持部材１３（図２参照）を省略したものである。具体的には、４本のワイヤ１１と、ワイヤ１１に係止される複数のソーラーセルからなるソーラーパネル１２Ａと、上端でワイヤ１１を係止する支柱２と、前記ワイヤ１１の両端を固定するワイヤ固定用基礎６と、を備えた構成となっている。さらに、本ソーラーパネル装置１Ｃには、４本のワイヤ１１の振れを防止するための耐風索７が設けられている。
【００５２】
支柱２は、基礎３に立設され、上端に張設方向Ｘに沿って延びる凹溝２１を有し、この凹溝２１にワイヤ１１を挿通させた状態で掛止させるように構成されている。支柱２は、片側において高さの異なる４本が設けられ、それぞれが各ワイヤ１１に対応している。これら支柱２は、図１３に示すように、奥行方向Ｙに上端２ａが一定の段差となるように配置され、これにより上端２ａの凹溝２１に掛止された４本のワイヤ１１を含む平面（パネル設置面Ｒ）が所定の傾斜角度で傾斜している。
【００５３】
ソーラーパネル１２Ａは、本実施の形態において、９枚が張設方向Ｘに沿って上述した吊り金具１２１（図５参照）によって４本のワイヤ１１に係止されている。
ワイヤ１１の両端を固定するワイヤ固定用基礎６は、例えばコンクリート製のブロック体であり、支柱２上に掛止された４本のワイヤ１１の端部を埋設するとともに、その支柱２から外側に引き出された端部までのワイヤ１１の角度が例えば３０度になるようにその一部が地盤Ｇに設置されている。なお、ワイヤ１１の端部は、ワイヤ固定用基礎６に埋設することに限定されず、着脱可能な接続具（図示省略）をワイヤ１１の端部に設けておき、この接続具をワイヤ固定用基礎６に装備した図示しない係止部に連結する構成としてもよい。
【００５４】
耐風索７は、奥行方向Ｙで４本張設されるワイヤ１１に沿うようにその両側に配置される一対の主索７１、７１と、それら主索７１、７１同士を連結する奥行方向Ｙに延在する複数の連結索７２と、主索７１の両端を埋設して固定する耐風索用基礎７３と、からなる。複数の連結索７２は、ソーラーパネル１２Ａ、１２Ａ同士の間の位置に配置され、ワイヤ１１と交差する部分でワイヤ１１に接続し、その長さ寸法はワイヤ１１の張設方向Ｘの中央ほど短くなっている。そのため、一対の主索７１は、平面視でワイヤ１１の張設方向Ｘの中央に向かうにしたがって漸次ワイヤ１１に近接するように連結索７２によって配置されている。この場合、４本のワイヤ１１が耐風索７によって支持されているので、風によるワイヤ１１の振れが抑えられ、ソーラーセル（ソーラーパネル１２Ａ）の姿勢を安定させることができる。
【００５５】
第４の実施の形態によるソーラーパネル装置１Ｃは、支柱２にワイヤ１１を掛け、その両端をワイヤ固定用基礎６に埋設する。そして、ワイヤ固定用基礎６を張設方向Ｘに適宜移動させることで、ワイヤ１１の張力を調整する。また、上述したようにワイヤ１１の端部に図示しない接続具を設ける場合には、予め所定の位置にワイヤ固定用基礎６を設置しておき、支柱２に掛止させたワイヤ端部（接続具）をワイヤ固定用基礎６の図示しない係止部に固定するようにしてもよい。そして、所定の張力をもって張設されたワイヤ１１にソーラーパネル１２Ａを取り付けることでソーラーパネル装置１Ｃを設置することができる。
【００５６】
以上、本発明によるソーラーパネルユニット、ソーラーパネル装置、およびソーラーパネルの設置方法の実施の形態について説明したが、本発明は上記の実施の形態に限定されるものではなく、その趣旨を逸脱しない範囲で適宜変更可能である。
【００５７】
例えば、本第１の実施の形態では５本のワイヤ１１を張設し、これらワイヤ１１に複数（４枚）のソーラーパネル１２Ａを係止させた構成としているが、ワイヤ１１の本数や配列間隔、および張設長さ等の構成は任意に設定することが可能である。そのため、複数本のワイヤ１１で所望の張力が得られれば良いのであって、その張設長さに応じた枚数のソーラーパネル１２Ａを設置することができる。また、１枚あたりのソーラーセル１２の数量も任意に設定することができる。
【００５８】
また、本第１の実施の形態では端部保持部材１３として断面視でコの字状の鋼材を採用しているが、これに限定されず、Ｌ形鋼、Ｈ形鋼などの鋼材でもよいし、材質も鋼材であることに制限されることはない。
そして、端部保持部材１３とワイヤ１１との固定方法、あるいは緊張方法に雄ねじ金具１１１を用いる構成としているが、これに限定されることはない。例えば、緊張手段（雄ねじ金具１１１）を省略することも可能である。
【００５９】
また、支持架台をなす支柱２の本数、高さ、形状、基礎の形状、ソーラーパネルユニット１０との取り付け構造などの構成についても、適宜変更することができる。例えば、本実施の形態では、１本の支柱２毎に基礎３を設けているが、ソーラーパネルユニット１０の張設方向Ｘの片側に設けられる一対の支柱２Ａ、２Ｂに共通する基礎を設けるようにしてもよい。
【００６０】
さらに、本第４の実施の形態では、初めから本設のワイヤ１１を支柱２の上端に係止させる施工方法により設置する方法としているが、このような方法に限定されることはない。
例えば、仮ワイヤを張設しておき、この仮ワイヤに同一線上に連結される本設のワイヤを引き出しつつ、支柱２上でソーラーセル１２を載せていく方法としてもよい。
【００６１】
その他、本発明の趣旨を逸脱しない範囲で、上記した実施の形態における構成要素を周知の構成要素に置き換えることは適宜可能である。
【符号の説明】
【００６２】
１、１Ａ、１Ｂ、  ソーラーパネル装置
２、２Ａ、２Ｂ  支柱（支持架台）
３  基礎
１０  ソーラーパネルユニット
１１、１１Ａ、１１Ｂ  ワイヤ
１２  ソーラーセル
１２Ａ  ソーラーパネル
１２ａ  受光面
１２ｂ  雌ねじ孔
１３、１３Ａ、１３Ｂ  端部保持部材
ΔＬ  高低差
Ｒ  パネル設置面（複数本のワイヤを含む平面）
Ｘ  張設方向
Ｙ  奥行方向
θ  傾斜角度  
【図１】
2013243201.tif 000003
【図２】
2013243201.tif 000004
【図３】
2013243201.tif 000005
【図４】
2013243201.tif 000006
【図５】
2013243201.tif 000007
【図６】
2013243201.tif 000008
【図７】
2013243201.tif 000009
【図８】
2013243201.tif 000010
【図９】
2013243201.tif 000011
【図１０】
2013243201.tif 000012
【図１１】
2013243201.tif 000013
【図１２】
2013243201.tif 000014
【図１３】
2013243201.tif 000015